(57)【要約】【課題】ストラップホルダを有する携帯電話機を、そのサイズが大きくなるのを防ぎながら、シール性能の高いコンパクトなものにする。【解決手段】少なくとも一部が、筐体本体２の縁部に設けた防塵又は防水のためのシール用リブと厚さ方向で重なり合うように筐体本体２の側面に取付用凹部を凹陥する。ストラップホルダ２０に取付用凹部に挿入されて取付用凹部に固定される挿入部と、挿入部に連結され、筐体本体２の側面外周から突出する、ストラップが取り付けられるストラップ係合部２２とを設ける。【選択図】図１
2013191926.tif 000002
【特許請求の範囲】
【請求項１】
携帯端末本体に固定されたストラップホルダを有する携帯端末において、
上記携帯端末本体の縁部に設けた防塵又は防水のためのシール用リブと、
少なくとも一部が上記シール用リブと厚さ方向で重なり合うように上記携帯端末本体の側面に凹陥された取付用凹部とを備え、
上記ストラップホルダは、
上記取付用凹部に挿入され、該取付用凹部に固定される挿入部と、
上記挿入部に連結され、上記携帯端末本体の側面外周から突出する、ストラップが取り付けられるストラップ係合部とを備えている
ことを特徴とする携帯端末。
【請求項２】
請求項１に記載の携帯端末において、
上記挿入部は、板金で構成され、該挿入部が上記ストラップ係合部にインサート成形されている
ことを特徴とする携帯端末。
【請求項３】
請求項２に記載の携帯端末において、
上記挿入部は、ビス締結孔を備え、該ビス締結孔に締結されたビスは、上記シール用リブと厚さ方向で重なる位置に配置される
ことを特徴とする携帯端末。
【請求項４】
請求項３に記載の携帯端末において、
上記取付用凹部は、上記携帯端末本体内部に対して連通しない防水構造となっている
ことを特徴とする携帯端末。
【請求項５】
請求項２乃至４のいずれか１つに記載の携帯端末において、
上記挿入部は、一対のビス締結孔を備え、該一対のビス締結孔間に延長部を有し、
上記延長部が上記取付用凹部内に挿入されることで、厚さ方向のがたつきが防止されている
ことを特徴とする携帯端末。
【請求項６】
請求項１乃至５のいずれか１つに記載の携帯端末において、
上記携帯端末本体を覆うと共に、上記シール用リブに当接する防水シールが嵌め込まれる溝部を有する蓋部材を備えている
ことを特徴とする携帯端末。
【請求項７】
請求項６に記載の携帯端末において、
上記ストラップ係合部には、上記挿入部を取付用凹部に挿入した後、上記蓋部材に覆われたときに、該蓋部材と上記携帯端末本体との間に挟み込まれる係止部が形成されている
ことを特徴とする携帯端末。
【発明の詳細な説明】
【技術分野】
【０００１】
本発明は、携帯端末本体に固定されたストラップホルダを有する携帯端末に関するものである。
【背景技術】
【０００２】
従来より、携帯電話機に代表される携帯端末に好みのストラップを取り付けることが行われている。ストラップを取り付ける方法としては、携帯端末本体の側面に互いに連通する２つの孔を設け、この孔にストラップを挿通したり、携帯端末本体の側面に金属ピンを取り付け、この金属ピンにストラップを取り付けたりするものが知られている。
【０００３】
また、例えば、特許文献１のように、ストラップフックをケース本体内部に設け、これをケース本体の一側面両端より出没可能に、かつロック手段により出没端に位置決め係止するように構成したものが知られている。
【先行技術文献】
【特許文献】
【０００４】
【特許文献１】特開平７−１３７７４７号公報
【発明の概要】
【発明が解決しようとする課題】
【０００５】
上記特許文献１のようなストラップフックをケース本体内部に取り付けるものでは、取付用のビスがケース本体内部に締結されるが、防水構造とする場合には、このビスを取り付ける部分を防水シールよりも外側に設けなければ、ビス挿通孔から水が入り、防水機能を発揮できない。このため、携帯端末本体が大きくなり、携帯性が損なわれるという問題があった。
【０００６】
本発明は、かかる点に鑑みてなされたものであり、その目的とするところは、ストラップホルダを有する携帯端末を、そのサイズが大きくなるのを防ぎながら、シール性能の高いコンパクトなものにすることにある。
【課題を解決するための手段】
【０００７】
上記の目的を達成するために、この発明では、ストラップホルダの取付部の取付位置を筐体本体のシール用リブと厚さ方向で重なる位置とした。
【０００８】
具体的には、第１の発明では、携帯端末本体に固定されたストラップホルダを有する携帯端末を前提とし、
上記携帯端末は、
上記携帯端末本体の縁部に設けた防塵又は防水のためのシール用リブと、
少なくとも一部が上記シール用リブと厚さ方向で重なり合うように上記携帯端末本体の側面に凹陥された取付用凹部とを備え、
上記ストラップホルダは、
上記取付用凹部に挿入され、該取付用凹部に固定される挿入部と、
上記挿入部に連結され、上記携帯端末本体の側面外周から突出する、ストラップが取り付けられるストラップ係合部とを備えている。
【０００９】
上記の構成によると、ストラップホルダの挿入部がシール用リブと厚さ方向で重なる位置で固定されるので、携帯端末の大きさが大きくならない。また、挿入部は取付用凹部を構成する壁部に挟まれる構造となるので、力のかかりやすいストラップホルダの取付部の剛性を確保しやすい。なお、「厚さ方向で重なり合うように」とは、厚さ方向から見たときに互いに重なる部分があることを意味する。
【００１０】
第２の発明では、第１の発明において、
上記挿入部は、板金で構成され、該挿入部が上記ストラップ係合部にインサート成形されている。
【００１１】
上記の構成によると、取付用凹部内に挿入される挿入部を薄く剛性の高いものにすることができ、携帯端末の厚さが抑えられる。
【００１２】
第３の発明では、第２の発明において、
上記挿入部は、ビス締結孔を備え、該ビス締結孔に締結されたビスは、上記シール用リブと厚さ方向で重なる位置に配置される。
【００１３】
上記の構成によると、ビス挿通孔をインサート成形時の位置決め孔として使用することができるので、成形が容易となり、また、ビス締結孔がシール用リブと厚さ方向で重なり合う位置に配置されるので、携帯端末の大きさが大きくならない。
【００１４】
第４の発明では、第３の発明において、
上記取付用凹部は、上記携帯端末本体内部に対して連通しない防水構造となっている。      
【００１５】
すなわち、通常、ビスを締結する部分には、ビスの周囲にシール構造を設ける必要があるが、上記の構成によると、取付用凹部内に水が入ったとしても、それ自体が防水構造であるため、携帯端末本体内に水が入らず、ビスの周囲に特別なシール構造を設ける必要はない。
【００１６】
第５の発明では、第２乃至第４のいずれか１つの発明において、
上記挿入部は、一対のビス締結孔を備え、該一対のビス締結孔間に延長部を有し、
上記延長部が上記取付用凹部内に挿入されることで、厚さ方向のがたつきが防止されている。
【００１７】
上記の構成によると、ビス締結孔部分だけでなく、延長部も取付用凹部内に挿入することで、ストラップホルダの厚さ方向のがたつきが効果的に防止される。
【００１８】
第６の発明では、第１乃至第５のいずれか１つの発明において、
上記携帯端末本体を覆うと共に、上記シール用リブに当接する防水シールが嵌め込まれる溝部を有する蓋部材を備えている。
【００１９】
上記の構成によると、蓋部材の防水シールと、それに密着するシール用リブとで防水効果が発揮され、その防水シールと取付用凹部とが厚さ方向で重なる位置にあるので、携帯端末の大きさが大きくならない。
【００２０】
第７の発明では、第６の発明において、
上記ストラップ係合部には、上記挿入部を取付用凹部に挿入した後、上記蓋部材に覆われたときに、該蓋部材と上記携帯端末本体との間に挟み込まれる係止部が形成されている。
【００２１】
上記の構成によると、取付用凹部内の固定だけでなく、蓋部材と携帯端末本体とで係止部を挟み込むことで、ストラップホルダが外れることはない。
【発明の効果】
【００２２】
以上説明したように、本発明によれば、少なくとも一部が携帯端末本体のシール用リブと厚さ方向で重なり合うように携帯端末本体の側面に取付用凹部を凹陥し、ストラップホルダに取付用凹部に挿入されて固定される挿入部を設け、この挿入部に携帯端末本体の側面外周から突出してストラップが取り付けられるストラップ係合部を連結したことにより、ストラップホルダを有する携帯端末を、そのサイズが大きくなるのを防ぎながら、シール性能の高いコンパクトなものにすることができる。
【図面の簡単な説明】
【００２３】
【図１】表側キャビネットを取り外した状態のストラップホルダ及びその周辺を正面側から見た拡大斜視図である。
【図２】携帯電話機を正面側から見た斜視図である。
【図３】携帯電話機を背面側から見た斜視図である。
【図４】正面側から見た携帯電話機の分解斜視図である。
【図５】背面側から見た携帯電話機の分解斜視図である。
【図６】筐体本体の正面図である。
【図７】図６のVII−VII線拡大断面図である。
【図８】図６のVIII−VIII線拡大断面図である。
【図９】裏側キャビネットを取り外した状態のストラップホルダ及びその周辺を背面側から見た拡大斜視図である。
【図１０】裏側キャビネットのストラップホルダに対向する部分を正面側から見た拡大斜視図である。
【図１１】ストラップホルダを拡大して示す斜視図である。
【図１２】ストラップホルダを拡大して示す正面図である。
【発明を実施するための形態】
【００２４】
以下、本発明の実施形態を図面に基づいて説明する。
【００２５】
図２〜図６は、本発明の実施形態の携帯端末としての携帯電話機１を示し、この携帯電話機１は、中央にステンレス板金などのフレーム２ａ（図６に示す）を有する携帯端末本体としての筐体本体２を備え、その表面側に液晶表示部３が嵌め込まれている。液晶表示部３は、正面側にタッチパネル４を有し、そのタッチパネル４を矩形枠状の表側キャビネット５で覆っている。タッチパネル４の裏面と筐体本体２の表面との間には、矩形枠状の防水用テープ６が挟み込まれている。この防水用テープ６により、正面側の防水機能が発揮されている。筐体本体２の裏面側には、基板８（図５にのみ示す）が嵌め込まれ、さらに蓋部材としての裏側キャビネット９で覆われている。
【００２６】
図１０に拡大して示すように、裏側キャビネット９の周縁には、シール用溝部１０が連続して形成され、このシール用溝部１０にシリコーンゴムなどの防水シール１１が嵌め込まれている。一方、図９に示すように、この防水シール１１に対応するように、筐体本体２の縁部には、防水シール１１を押さえるための平坦なシール用リブ１２が連続して設けられている。裏側キャビネット９の防水シール１１がシール用リブ１２に密着することで、防水効果が発揮され、水が基板８側へ流れ込まないようになっている。
【００２７】
そして、本発明の特徴として、筐体本体２の角部には、脱着可能なストラップホルダ２０が設けられている。図１１及び図１２に示すように、このストラップホルダ２０は、ステンレス薄板などの板金よりなる挿入部２１と、この挿入部２１を覆うストラップ係合部２２とを備えている。挿入部２１は、一対のビス締結孔２３を備えている。挿入部２１を構成する板金は、図１２に示すように、例えばカエルの顔の様な形状をしており、ストラップ係合部２２を構成する樹脂にインサート成形されている。一方、図７及び図８に示すように、筐体本体２の角部側面には、この挿入部２１が挿入される取付用凹部２６が凹陥されている。取付用凹部２６は、少なくとも一部がシール用リブ１２と厚さ方向で重なり合うように凹陥されている。板金のうち、取付用凹部２６に挿入される部分は、樹脂で覆われていない。挿入部２１における目玉部分に相当する一対のビス締結孔２３をインサート成形時の位置決め孔として使用することができるので、成形が容易となっている。挿入部２１における一対のビス締結孔２３の間（カエルのおでこ部分）には、樹脂部分から突出した延長部３１が形成されている。そして、図７に示すように、対応する筐体本体２のビス挿通孔２ｂにビス２７を挿通してビス締結孔２３に締結することにより、挿入部２１が取付用凹部２６に固定される。締結されたビス２７は、シール用リブ１２と厚さ方向で重なり合うように配置される。なお、「厚さ方向で重なり合うように」とは、厚さ方向（正面）から見たときに互いに重なる部分があることを意味する。挿入部２１は取付用凹部２６を構成する、厚さ方向に対向する壁部に挟まれる構造となるので、力のかかりやすいストラップホルダ２０の取付部の剛性を確保しやすくなっている。しかも、図８に示すように、延長部３１も取付用凹部２６内に挿入されるので、厚さ方向のがたつきが効果的に防止されている。また、挿入部２１を板金構造としたことにより、挿入部２１を薄く剛性の高いものにすることができ、携帯電話機１の厚さが抑えられている。
【００２８】
取付用凹部２６は、筐体本体２内部に対して連通しない防水構造となっている。つまり、図７に示すように、取付用凹部２６は、挿入部２１が挿入される側と、ビス挿通孔２ｂ側とが開口しているが、基板８側には開口していない。通常、ビス２７を締結する部分には、防水のためにビス２７の周囲にシール構造を設ける必要があるが、本実施形態では、取付用凹部２６内に水が入ったとしても、それ自体が防水構造であるため、筐体本体２内に水が入らない。このため、ビス２７の周囲のシール構造は不要となっている。なお、図８に示すように、取付用凹部２６よりも基板８側には、ナット２８が埋め込まれている。このナット２８は、裏側キャビネット９を固定するためのものである。
【００２９】
挿入部２１を構成する板金は、カエルの口に相当する、ストラップ（図示せず）が挿入される部分に貫通孔２４が形成されている。この貫通孔２４は樹脂で覆われ、ストラップ挿通孔２５が形成されている。貫通孔２４が樹脂で覆われることにより、ストラップが直接板金に接触して傷むのを防止すると共に、板金により、貫通孔２４周辺の強度が向上している。また、図１１及び図１２に示すように、ストラップ係合部２２は、筐体本体２の角部に合わせて正面視でＬ字形状であるが、一方の端部には、挿入部２１を取付用凹部２６に挿入した後、裏側キャビネット９に覆われたときに、裏側キャビネット９に係合する第１係止部２９が一体成形されている。この第１係止部２９は、ストラップ係合部２２の伸びる方向に若干突出した形状となっている。また、反対側の端部には、第２係止部３０が形成されており、この第２係止部３０は筐体本体２内部へ突出する突起形状をしている。また、ストラップ係合部２２の両端は、先端に向かって湾曲して見映えがよくなると共に、引っ掛かりがないようにしている。
【００３０】
そして、挿入部２１をビス２７で固定した後、裏側キャビネット９で覆った状態で、ストラップ係合部２２が筐体本体２の側面外周から突出し、ストラップが取り付けられるようになっている。第１係止部２９及び第２係止部３０を設けているので、取付用凹部２６内の固定だけでなく、ストラップホルダ２０が裏側キャビネット９と筐体本体２とで挟持され、ストラップの使用時に外れないようになっている。
【００３１】
したがって、本実施形態に係る携帯電話機１によると、ストラップホルダ２０の挿入部２１（ビス２７の締結部）をシール用リブ１２と厚さ方向で重なる位置で固定したので、ストラップホルダ２０を有する携帯電話機１を、そのサイズが大きくなるのを防ぎながら、シール性能の高いコンパクトなものにすることができる。
【００３２】
（その他の実施形態）
本発明は、上記実施形態について、以下のような構成としてもよい。
【００３３】
すなわち、上記実施形態では、防水シール１１による防水構造としているが、それよりも密閉性の低い防塵構造であってもよい。
【００３４】
上記実施形態では、携帯端末は、携帯電話機１としたが、ストラップホルダ２０を有するものであれば、ＰＨＳ（Personal Handy-phone System ）、ＰＤＡ(Personal Digital Assistant)、スマートフォン、パソコン、モバイルツール、電子辞書、電卓、ゲーム機等であってもよい。
【００３５】
なお、以上の実施形態は、本質的に好ましい例示であって、本発明、その適用物や用途の範囲を制限することを意図するものではない。
【符号の説明】
【００３６】
１      携帯電話機（携帯端末）
２      筐体本体（携帯端末本体）
９      裏側キャビネット（蓋部材）
１０      シール用溝部
１１      防水シール
１２      シール用リブ
２０      ストラップホルダ
２１      挿入部
２２      ストラップ係合部
２３      ビス締結孔
２６      取付用凹部
２７      ビス
２９      第１係止部
３１      延長部
【図１】
2013191926.tif 000003
【図２】
2013191926.tif 000004
【図３】
2013191926.tif 000005
【図４】
2013191926.tif 000006
【図５】
2013191926.tif 000007
【図６】
2013191926.tif 000008
【図７】
2013191926.tif 000009
【図８】
2013191926.tif 000010
【図９】
2013191926.tif 000011
【図１０】
2013191926.tif 000012
【図１１】
2013191926.tif 000013
【図１２】
2013191926.tif 000014